(57)【特許請求の範囲】
【請求項１】
施肥ホッパ内の肥料を送風機及びエアタンクからの搬送空気にて肥料排出位置に搬送して施肥を行うための多条用の施肥ホースを、施肥部に備えると共に、左右外側の施肥部を機体内方に収納自在に設けてなる田植機の施肥装置において、
前記施肥ホースを前記エアタンクにホース接続部材を介して取外し自在に接続させ、
前記エアタンクから取外した前記施肥ホースの一端部を下向き状態に保持するためのホース受金具を、ステーを介して前記エアタンクの後面側に設けたことを特徴とする田植機の施肥装置。
【発明の詳細な説明】
【０００１】
【発明の属する技術分野】
本発明は例えば苗載台及び植付爪を備えて連続的に苗植作業を行う田植機の施肥装置に関する。
【０００２】
【発明が解決しようとする課題】
左右外側の施肥部を機体内方側に収納可能とする多条用の施肥部構造にあって、左右外側の施肥部の収納時にあっては、エアタンクから施肥ホースは取外されて適宜その近郊に放置されて、田植機の輸送や格納時などには施肥ホースが機外に飛び出るなどして破損する不具合がある。また取外した施肥ホースには雨水などが侵入して次回作業時には肥料詰まりとなる不具合があった。さらにエアタンクからホース接続部材と一体に搬送ホースを取外する場合にも、ホース接続部材はボルト止め構造のため容易に行うことができなかった。
【０００３】
【課題を解決するための手段】
請求項１に係る発明は、施肥ホッパ内の肥料を送風機及びエアタンクからの搬送空気にて肥料排出位置に搬送して施肥を行うための多条用の施肥ホースを、施肥部に備えると共に、左右外側の施肥部を機体内方に収納自在に設けてなる田植機の施肥装置において、前記施肥ホースを前記エアタンクにホース接続部材を介して取外し自在に接続させ、前記エアタンクから取外した前記施肥ホースの一端部を下向き状態に保持するためのホース受金具を、ステーを介して前記エアタンクの後面側に設けたものであるから、前記ホース受金具に施肥ホースを下向きに保持させるだけの簡単な作業手段によって施肥ホース内に水が侵入するのを防止でき、例えば施肥部の折畳み全幅内となる固定側エアタンクの定位置に、施肥ホースを保持して保護できる。
【０００４】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００５】
また、図中（１５）は８条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００６】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は８条用の側条施肥部である。
【０００７】
さらに、図３、図４に示す如く、肥料を入れる中央の固定側施肥ホッパ（３７）及び左右の収納側施肥ホッパ（３７１）（３７２）と、肥料を定量供給する肥料繰出ケース（３８）と、フロート（３４）（３５）の肥料排出部である側条作溝器（３９）にフレキシブル形搬送ホース（４０）を介して肥料を排出させるターボブロワー型送風機（４１）と、円筒形のエアタンク（４２）とを、前記施肥部（３６）に備えると共に、エアタンク（４２）右側端に送風機（４１）を取付け、８条分の８組の肥料繰出ケース（３８）…をエアタンク（４２）上側に配設させている。
【０００８】
さらに、図５乃至図１１に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥部（３６）を設けると共に、左右ベースフレーム（４５）（４５）にブラケット（４６）（４６）を介してエアタンク（４２）をボルト止め固定させるもので、ベースフレーム（４５）後端部と車体フレーム（３）間にサイドステー（４７）を連結させ、ベースフレーム（４５）前後側に前後昇降レール（４８）（４９）…を立設させ、前後一組左右二対の４本の該昇降レール（４８）（４８）（４９）（４９）を介して施肥部（３６）を昇降自在に取付けると共に、左右一対の２本のガススプリング（５０）（５０）によって昇降自在に施肥部（３６）を取付け、車体フレーム（３）後端部に配置させるリヤアクスルケース（７）に施肥部（３６）重量を支持させるもので、図８にも示す如く、前後昇降レール（４８）（４９）に対向させる軸受板（５１）を設け、前記レール（４８）（４９）に転動自在に嵌込むベアリングローラ（５２）…を軸受板（５１）に回転自在に軸支させ、前後２本のレール（４８）（４９）を左右対称に２組設け、１本のレール（４８）（４９）に対して上下２個のローラ（５２）（５２）を取付け、左右一対の軸受板（５１）（５１）を４本のレール（４８）（４９）と８個のローラ（５２）…によってベースフレーム（４５）に昇降自在に支持させている。
【０００９】
また、前記ガススプリング（５０）の下端を前記車体フレーム（３）に連結させ、前記軸受板（５１）にガススプリング（５０）上端を連結させ、前記レール（４８）（４９）とガススプリング（５０）を略平行に立設させると共に、施肥部（３６）の前後幅方向の重心位置にガススプリング（５０）を連結させるもので、施肥部（３６）の重量と略等しいかまたは若干小さい伸張力をガススプリング（５０）が有するように構成している。
【００１０】
さらに、左右の軸受板（５１）（５１）を丸パイプ形の前フレーム（５３）によって一体固定させ、施肥部（３６）を持上げるときに作業者が握る取手（５４）を前記前フレーム（５３）に溶接固定させ、左右の前記軸受板（５１）（５１）に支軸（５５）（５５）を介して左右ロックレバー（５６）（５６）を回転自在に軸支させ、前側の左右昇降レール（４８）（４８）に左右ロックレバー（５６）（５６）を介して左右軸受板（５１）（５１）前部を係止させると共に、後側の左右昇降レール（４９）（４９）に左右ロックピン（５７）（５７）を取付け、軸受板（５１）にロックピン（５７）を係脱自在に係入させ、後側の左右昇降レール（４９）（４９）に左右軸受板（５１）（５１）後部を左右ロックピン（５７）（５７）を介して係止させ、軸受板（５１）の前部と後部を前後の昇降レール（４８）（４９）にロックレバー（５６）とロックピン（５７）により固定させる。また、前記昇降レール（４８）に上下係合孔（５８）（５９）を形成させ、各係合孔（５８）（５９）にロックレバー（５６）を係入させて施肥機（３６）を上昇位置または下降位置で固定支持させるもので、ロックレバー（５６）を前記取手（５４）の下側に延出させ、運転席（１３）側に突設させる取手（５４）を作業者が握り乍らロックレバー（５６）を操作し、ロックレバー（５６）を係合孔（５８）（５９）から離脱させることができるように構成している。
【００１１】
また、前記前フレーム（５３）にケース前ブラケット（６０）を溶接固定させ、該ケース前ブラケット（６０）に前記繰出ケース（３８）前側をボルト止め固定させるもので、１ユニットとして構成する中央２条分の繰出ケース（３８）（３８）を左右の昇降レール（４８）（４９）間に配設させ、昇降レール（４８）（４９）の機外側に左右各２条分の繰出ケース（３８）（３８）を夫々配設させ、２条１組として６条分３ユニットの繰出ケース（３８）…を左右に並設させ、さらに左右機外側に左右の収納側繰出ケース（３８１）（３８２）を並設させている。
【００１２】
さらに、図１２に示す如く、前記繰出ケース（３８）（３８１）（３８２）の上面前側の取入口（６１）に前記ホッパ（３７）（３７１）（３７２）の下部出口（６２）を嵌着させると共に、前記繰出ケース（３８）（３８１）（３８２）前面下側に取出口（６３）を形成し、着脱自在なキャップ（６４）によって取出口（６３）を閉塞している。前記キャップ（６４）を取外して取出口（６３）を開放し、ホッパ（３７）内部の肥料を前側下方に流下させるもので、このときに施肥部（３６）を昇降レール（４８）（４９）の上昇位置に支持させ、取出口（６３）と下方のエアタンク（４２）の間隔を拡大させ、肥料を入れる容器を前記取出口（６３）下方に容易に差し入れることができ、残留肥料の取出しを容易に行えるように構成している。
【００１３】
また、前記繰出ケース（３８）下面に閉塞レバーを介して底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）の外壁に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１４】
また、取入口（７３）及び吹出口（７４）を有する入口板（７５）と、同一円周上に略四角形の複数の繰出口（７６）…を有する繰出ロールである繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）に繰出軸（８０）を略垂直に回転自在に軸支させ、各板（７５）（７７）（７９）の中央部に繰出軸（８０）下端側を貫通させ、出口板（７９）下面に下方側からバネ（８１）を弾圧させ、各板（７５）（７７）（７９）を下方に抜出し自在に繰出軸（８０）に支持させ、かつ閉塞レバーによって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させ出口（６７）方向に落下させるように構成している。
【００１５】
さらに、図６、図９、図１１にも示す如く、前記エンジン（２）出力を植付部（１５）に伝達させるＰＴＯ軸（８６）をミッションケース（４）から後方に延出させると共に、前記左支柱（４３）に軸受ケース（８７）を溶接固定させ、軸受ケース（８７）の入力軸（８８）を前記ＰＴＯ軸（８６）中間にチェン（８９）を介して連動連結させ、軸受ケース（８７）の出力軸（９０）後端部にクランク板（９１）をボールロック構造により着脱自在に固定させる。また、前記軸受板（５１）及びケース後ブラケット（９２）を一体固定させる四角パイプ形後面フレーム（９３）を備え、エアタンク（４２）及び前フレーム（５３）と略平行に後面フレーム（９３）を横架させ、ケース後ブラケット（９２）に前記繰出ケース（３８）後側をボルト止め固定させる。
【００１６】
また、前記左の軸受板（５１）にブラケット（９４）及び軸（９５）を介して単一の調量部材である繰出量調節レバー（９６）を軸支させると共に、左の軸受板（５１）に支軸（９７）を介して調節リンク（９８）及び支点リンク（９９）を設け、前記レバー（９６）のネジ部（１００）に調節リンク（９８）を連結させ、支点リンク（９９）に調節支点（１０１）を取付け、該支点（１０１）に駆動アーム（１０２）を軸支させる。
【００１７】
また、前記後面フレーム（９３）に軸受板（１０３）を介して施肥動力伝達系繰出駆動軸（１０４）を回転自在に軸支させ、該駆動軸（１０４）に揺動アーム（１０５）を固定させ、前記駆動アーム（１０２）に長さ調節自在な伸縮ロッド（１０６）一端側を連結させ、かつ前記揺動アーム（１０５）に前記伸縮ロッド（１０６）の他端側を連結させると共に、前記クランク板（９１）を駆動アーム（１０２）に入力ロッド（１０７）を介して連結させ、植付駆動用のＰＴＯ軸（８６）から入力ロッド（１０７）及び駆動アーム（１０２）を介して繰出駆動軸（１０４）に駆動力を伝えるように構成している。
【００１８】
さらに、図８に示す如く、前記後面フレーム（９３）に連れ回り防止一方向クラッチ（１０８）を介してクラッチ軸（１０９）を軸支させ、該クラッチ軸（１０９）に一方向クラッチ（１１０）を介して入力リンク（１１１）を設けると共に、前記繰出駆動軸（１０４）に揺動リンク（１１２）を固定させ、該リンク（１１２）を前記入力リンク（１１１）に連係ロッド（１１３）を介して連結させ、入力リンク（１１１）を揺動させてクラッチ軸（１０９）を一方向に間欠的に回転させるように構成している。
【００１９】
また、前記繰出ケース（３８）に条止めクラッチケース（１１４）を固定させると共に、前記繰出軸（８０）上端側にベベルギヤ（１１６）を介してクラッチ軸（１０９）を常時連結させるもので、繰出軸（８０）を前記クラッチ軸（１０９）に継断自在に連結させる条止めクラッチ（図示省略）を前記クラッチケース（１１４）に内設させると共に、前記ケース（１１４）の条止めクラッチを継断操作するクラッチレバー（１１８）とクラッチアーム（１１９）を前記クラッチケース（１１４）の前後に振分け配設させ、前記植付部（１５）の苗載台（１６）上側背面部に設ける植付け条止め用ユニットクラッチレバー（１２０）に条止め用のクラッチワイヤを介して前記クラッチアーム（１１９）を連結させる。
【００２０】
さらに、図８、図１３、図１４に示す如く、中央２条分の肥料繰出ケース（３８）（３８）取付位置外側で前フレーム（５３）と後面フレーム（９３）に左右の軸受板（５１）（５１）を溶接固定させると共に、前フレーム（５３）と後面フレーム（９３）の左右両端部を左右のサイドフレーム（１２３）（１２３）によって一体固定させ、両側２条分の肥料繰出ケース（３８）（３８）を軸受板（５１）とサイドフレーム（１２３）間の前フレーム（５３）及び後面フレーム（９３）に取付けるもので、四角枠形の各フレーム（５３）（９３）（１２３）を軸受板（５１）によって左右方向に三等分に区切り、前後のフレーム（５３）（９３）間に６条分の肥料繰出ケース（３８）を掛け渡し支持させる。
【００２１】
さらに、図１３乃至図２１に示す如く、前記ステップ（１１）を取付けるステップフレームを介して受面である補助ステップ（１２４）を設け、車体カバー（１２）後部両側に左右補助ステップ（１２４）（１２４）を配設させると共に、中央の固定側エアタンク（４２）両側に左右略同一形状の収納側エアタンク（４２１）（４２２）を連設させ、固定側エアタンク（４２）端部に固定ブラケット（１２５）を一体固定させ、収納側エアタンク（４２１）（４２２）に可動ブラケット（１２６）を一体固定させ、固定ブラケット（１２５）の長孔（１２７）に回動及び摺動自在に挿通させる支点部材である水平回動支点軸（１２８）を可動ブラケット（１２６）に回転自在に取付け、前記支点軸（１２８）回りに収納側エアタンク（４２１）（４２２）を水平回転させかつ長孔（１２７）の案内によって収納側エアタンク（４２１）（４２２）を水平移動させ、補助ステップ（１２４）上面に収納側エアタンク（４２１）（４２２）を折畳み自在に構成している。また、右の収納側エアタンク（４２２）端部に前記送風機（４１）を取付け、送風機（４１）から各タンク（４２２）（４２）（４２１）内に空気を圧送し、該空気によって肥料を搬出する施肥作業を行うように構成している。
【００２２】
さらに、前記サイドフレーム（１２３）にロックピン（１２９）（１２９）及びパッチン錠（１３０）（１３０）を介して左右フレーム（１３１）（１３１）を着脱自在に連結させ、前フレーム（５３）及び後面フレーム（９３）と略同形の分割フレーム（１３２）（１３３）を左右フレーム（１３１）（１３１）と外側フレーム（１３４）（１３４）の間に一体固定させ、分割フレーム（１３２）（１３３）に左右繰出ケース（３８１）（３８２）を固定させると共に、固定側クラッチ軸（１０９）端部の係合部材であるクラッチ板（１３６）に左右繰出ケース（３８１）（３８２）の繰出軸（１３５）（１３５）の係合部材である爪体（１３７）をバネ（１３８）を介して着脱自在に連結させ、クラッチ軸（１０９）からクラッチ板（１３６）及び爪体（１３７）を介して左右繰出ケース（３８１）（３８２）に繰出し駆動力を伝えるように構成している。
【００２３】
さらに、前記収納側エアタンク（４２１）（４２２）に係合筒（１３９）（１３９）を一体固定させ、左右フレーム（１３１）（１３１）及び外側フレーム（１３４）（１３４）に固定ピン（１４０）（１４０）を一体固定させ、該固定ピン（１４０）（１４０）を前記係合筒（１３９）（１３９）に出入自在に上方側から遊嵌挿入させ、固定ピン（１４０）（１４０）を係合筒（１３９）（１３９）に差込むと共に、補助ステップ（１２４）上面に当接させる脚フレーム（１４１）を収納側エアタンク（４２１）（４２２）に一体固定させ、左右フレーム（１３１）（１３１）に固定用ステー（１４２）上端側を一体固定させ、前記ステー（１４２）下端側を脚フレーム（１４１）上面に当接させ、上下に重ねた前記ステー（１４２）及び脚フレーム（１４１）をノブボルト（１４３）によって補助ステップ（１２４）上面に着脱自在に固定させると共に、前記ノブボルト（１４３）を取外して左右フレーム（１３１）（１３１）及び外側フレーム（１３２）（１３２）を上方に持上げ、係合筒（１３９）からピン（１４０）を抜出し、収納側ホッパ（３７１）（３７２）及び繰出ケース（３８１）（３８２）を収納側エアタンク（４２１）（４２２）に対して分離させるように構成している。
【００２４】
また、前記固定ブラケット（１２５）に収納固定板（１４４）を一体形成し、前記脚フレーム（１４１）及び固定用ステー（１４２）をネジ部材であるノブボルト（１４３）によって補助ステップ（１２４）に固定させたとき、前記収納固定板（１４４）に可動ブラケット（１２６）をノブボルト（１４５）によって固定させ、補助ステップ（１２４）上面に２本のノブボルト（１４３）（１４５）によって収納側エアタンク（４２１）（４２２）を固定させ、収納側施肥ホッパ（３７１）（３７２）及び繰出ケース（３８１）（３８２）を収納側エアタンク（４２１）（４２２）に支持させるように構成している。
【００２５】
このように、前記施肥部（３６）を中央の固定側ホッパ（３７）及び繰出ケース（３８）及びエアタンク（４２）と、左右最外側の収納側ホッパ（３７１）（３７２）及び繰出ケース（３８１）（３８２）及びエアタンク（４２１）（４２２）によって形成し、これら収納側ホッパ（３７１）（３７２）及び繰出ケース（３８１）（３８２）及びエアタンク（４２１）（４２２）を収納自在に設けて、収納時には走行車機体である補助ステップ（１２４）に固定させるもので、収納位置の収納側ホッパ（３７１）（３７２）及び繰出ケース（３８１）（３８２）及びエアタンク（４２１）（４２２）を支持させる部材を施肥部（３６）側から突設させる必要がなく、また収納位置の収納側ホッパ（３７１）（３７２）及び繰出ケース（３８１）（３８２）及びエアタンク（４２１）（４２２）の支持強度を容易に確保するように構成している。
【００２６】
さらに、前記固定側エアタンク（４２）両端にフランジ（１４６）（１４６）を一体固定させ、前記収納側エアタンク（４２１）（４２２）にフランジ（１４７）（１４７）を一体固定させ、ノブボルト（１４３）によって対向する各フランジ（１４６）（１４７）を締付け固定し、各フランジ（１４６）（１４７）を直接当接させ、固定側エアタンク（４２）両端に収納側エアタンク（４２１）（４２２）を固定させると共に、収納側エアタンク（４２１）（４２２）の弾性ゴム製の空気もれ防止パッキン（１４８）に輪形突条（１４９）を形成し、固定側エアタンク（４２）の弾性ゴム製の空気もれ防止パッキン（１５０）に前記突条（１４９）を圧着させ、前記突条（１４９）の圧着変形によって前記各パッキン（１４８）（１５０）を密着させるもので、前記各フランジ（１４６）（１４７）を直接当接させて固定することにより、収納側エアタンク（４２１）（４２２）側の重量によって収納側エアタンク（４２１）（４２２）が固定側エアタンク（４２）との接合部分で下方に折曲がるのを防止し、各パッキン（１４８）（１５０）接合部の下方側が必要以上に圧縮されたり上方側が離反する不具合をなくすように構成している。
【００２７】
図１３乃至図１６、図２２に示す如く、固定側エアタンク（４２）の左右両端で後面側に、ステー（１５１）を介しワンタッチ式取付体である開脚状のホース受金具（１５２）を固設して、収納側エアタンク（４２１）（４２２）の折畳みに際し、ジョイント（６９）から搬送ホース（４０）の入口側の口金（４０ａ）を取外すとき、この取外した口金（４０ａ）を前記受金具（１５２）に防水手段となる下向き状態（４０Ａ）に係合保持させるように構成している。そして前記受金具（１５２）に対する搬送ホース（４０）の取付け或いは取外しには、受金具（１５２）の開脚部（１５２ａ）を押し開くだけのワンタッチ操作で搬送ホース（４０）の取付け或いは取外しが容易に行えて、施肥部（３６）の折畳み作業での能率向上化を図ることができると共に、受金具（１５２）に搬送ホース（４０）を下向きに保持させるだけの簡単な作業手段によってホース（４０）内に水が侵入するのが防止され、また折畳み全幅内となる固定側エアタンク（４２）の左右両端の定位置に、搬送ホース（４０）を機外に飛び出ることなく常に保持して、田植機の輸送時や格納時に損傷から安全保護するものである。
【００２８】
図２３及び図２４に示すものは、収納側エアタンク（４２１）（４２２）より取外した搬送ホース（４０）を苗載台（１６）の背面側の受金具（１５２）に係合保持させる構成例を示すもので、上部ガイドレール（１９）の苗台シュ（１５３）を支持する植付ケース（２０）の支柱（１５４）と、該支柱（１５４）上方に延設する補助支柱（１５５）とに、ステー（１５１）を介し複数の受金具（１５２）を固設すると共に、前記口金（４０ａ）の開口部を臨ませる４角箱形の防水手段である防水カバー（１５６）を補助支柱（１５５）上端に固設して、受金具（１５２）にホース（４０）を係合させるとき、防水カバー（１５６）内に口金（４０ａ）を挿入させて、口金（４０ａ）の開口部上方及び周側を防水カバー（１５６）で覆って、ホース（４０）内に雨水などが侵入するのを防止するように構成したものである。
【００２９】
図２５及び図２６に示すものは、前記エアタンク（４２１）（４２２）にワンタッチ式取付体であるパッチン錠（１５７）を介しホース（４０）と一体にジョイント（６９）を着脱自在に接続固定させる構成例を示すもので、前記ジョイント（６９）の入口側のフランジ部（６９ａ）に門形状の取付板（１５８）を固定させ、該取付板（１５８）に左右両側固設する左右２つのパッチン錠（１５７）とエアタンク（４２１）（４２２）に固設する左右２つのフック（１５９）とを係合させることによって接合パイプ（６８）に前記ジョイント（６９）を取外し自在に接合させるように構成している。
【００３０】
また、前記の左右２つのフック（１５９）は取付板（１５８）の左右方向の位置決めストッパとなると共に、パッチン錠（１５７）とフック（１５９）はジョイント（６９）の接続方向に対し下傾斜状に配置し、取付板（１５８）の上方向の位置決めを行う上部ストッパ（１６０）をエアタンク（４２）に固設して、パッチン錠（１５７）とフック（１５９）を係合させての取付板（１５８）の接続時には、パッチン錠（１５７）の締付け力（Ｐ）の分力（Ｐ１）（Ｐ２）をエアタンク（４２）と上部ストッパ（１６０）に作用させる状態とさせて、例えホース（４０）により取付板（１５８）にモーメントがかかっても位置ズレのない保持を可能とさせ、また取付時にあってはフック（１５９）と上部ストッパ（６０）の位置決めにより再現性を有する高精度な取付けを可能とさせるように構成している。
図２７及び図２８は、前記エアタンク（４２１）（４２２）に固設する取付板（７２）に左右のノブボルト（１６１）を取付けると共に、前記ジョイント（６９）のフランジ部（６９ａ）にノブボルト（１６１）の上方より嵌合する左右の切欠溝（１６２）を形成して、ノブボルト（１６１）に切欠溝（１６２）を嵌合させボルト（１６１）を締付けることによってジョイント（６９）の容易な接続固定化を図ると共に、収納側エアタンク（４２１）（４２２）の折畳み時などにおいては、搬送ホース（４０）の容易な取外しを可能とさせるように構成したものである。
【００３１】
さらに、図２９及び図３０に示すものも、野前記エアタンク（４２１）（４２２）に固設する取付板（７２）に対しジョイント（６９）を容易に着脱させる構成例を示すもので、前記取付板（７２）に接合させるジョイント（６９）のフランジ部（６９ａ）の後面に圧着させる押圧板（１６３）の下端を回動軸（１６４）を介し取付板（７２）の下部に支持させ、押圧板（１６３）の上端に取付けるパッチン錠（１６５）をエアタンク（４２１）（４２２）に固設するフック（１６６）に係合させ、前記取付板（１７２）に取付ける左右２つのガイドピン（１６７）をフランジ部（６９ａ）と押圧板（１６３）とに係合させて、パッチン錠（１６５）とフック（１６６）とのワンタッチ操作による係合或いは係合解除によって、ジョイント（６９）の容易な着脱を可能とさせるように構成したものである。
【００３２】
また図３１に示すものは、前記ジョイント（６９）の搬送出口側を一定角度（α）下向きに傾けて、ジョイント（６９）及び該ジョイント（６９）接続近傍部の搬送ホース（４０）と後輪（８）との距離（Ｌ１）（Ｌ２）を略均等（Ｌ１≒Ｌ２）とさせるように設けて、繰出ケース（６６）からの肥料供給よりエアタンク（４２）からの空気供給が早く停止した場合でも、エアタンク（４２）側への肥料の逆流を防止して、エアタンク（４２）内の錆の発生や肥料の付着による排風口の詰まりを防止するように構成している。またこの場合、ジョイント（６９）から搬送ホース（４０）への肥料の流れにもスムーズなものとさせることができて、ホース（４０）やこの継ぎ目での肥料詰まりも防止できる。
【００３３】
さらに図３２のものは、前記施肥ホッパ（３７）を施肥動力伝達系からの動力を用いて加振する構成例を示すもので、ホッパ（３７）の蓋部（３７ａ）に先端側の弾性体（１６８）を当接させる加振アーム（１６９）の基端を支点軸（１７０）に揺動自在に支持すると共に、加振アーム（１６９）に固設する加振軸（１７１）と、前記揺動アーム（１０５）と伸縮ロッド（１０６）との連結軸（１７２）とをリンク（１７３）で連動連結して、施肥動力伝達系から取出される動力でもってホッパ（３７）を加振することによって、ホッパ（３７）内での肥料のブリッヂ現象を防止して確実な施肥作業を可能とさせ、またホッパ（３７）底部の流下傾斜面の傾斜角（β）を小さなものとさせても、出口（６２）への肥料の流下を促進させて、ホッパ容量を有効に拡大可能とさせるように構成したものである。
【００３４】
【発明の効果】
以上実施例から明らかなように、請求項１に係る発明は、施肥ホッパ（３７）内の肥料を送風機（４１）及びエアタンク（４２）からの搬送空気にて肥料排出位置に搬送して施肥を行うための多条用の施肥ホースである搬送ホース（４０）を、施肥部（３６）に備えると共に、左右外側の施肥部（３６）を機体内方に収納自在に設けてなる田植機の施肥装置において、前記搬送ホース（４０）を前記エアタンク（４２）にホース接続部材であるジョイント（６９）を介して取外し自在に接続させ、前記エアタンク（４２）から取外した前記搬送ホース（４０）の一端部を下向き状態に保持するためのホース受金具（１５２）を、ステー（１５１）を介して前記エアタンク（４２）の後面側に設けたものであるから、前記ホース受金具（１５２）に搬送ホース（４０）を下向きに保持させるだけの簡単な作業手段によって搬送ホース（４０）内に水が侵入するのを防止でき、例えば施肥部（３６）の折畳み全幅内となる固定側エアタンク（４２）の定位置に、搬送ホース（４０）を保持して保護できる。
【図面の簡単な説明】
【図１】全体の側面図である。
【図２】同平面図である。
【図３】施肥部の平面図である。
【図４】同背面図である。
【図５】同側面説明図である。
【図６】昇降レール部側面説明図である。
【図７】肥料繰出ケース部の側面説明図である。
【図８】肥料繰出ケース部の平面説明図である。
【図９】ベースフレーム部の背面説明図である。
【図１０】肥料繰出ケース部の背面説明図である。
【図１１】繰出駆動入力部の同側面説明図である。
【図１２】肥料繰出ケースの断面側面説明図である。
【図１３】施肥部右側の平面図である。
【図１４】施肥部左側の平面図である。
【図１５】施肥部右側の折畳み説明図である。
【図１６】施肥部左側の折畳み説明図である。
【図１７】施肥部右側の拡大平面図である。
【図１８】施肥部左側の拡大平面図である。
【図１９】左繰出ケース連結部の背面図である。
【図２０】左エアタンク連結部の平面図である。
【図２１】図２０の拡大図である。
【図２２】ホース受金具の取付説明図である。
【図２３】ホース受金具の他の取付説明図である。
【図２４】防水カバー部の説明図である。
【図２５】ジョイントの取付状態を示す側面説明図である。
【図２６】ジョイントの取付状態を示す平面説明図である。
【図２７】ジョイントの取付状態を示す側面説明図である。
【図２８】ジョイントの取付状態を示す説明図である。
【図２９】ジョイントの取付状態を示す側面説明図である。
【図３０】ジョイントの取付状態を示す説明図である。
【図３１】ジョイント部の説明図である。
【図３２】加振部の説明図である。
【符号の説明】
（３６）施肥部
（３７）施肥ホッパ
（４０）搬送ホース（施肥ホース）
（４２）エアタンク
（６９）ジョイント（ホース接続部材）
（１５１）ステー
（１５２）受金具
【図１】
0003670087.tif 000002
【図２】
0003670087.tif 000003
【図３】
0003670087.tif 000004
【図４】
0003670087.tif 000005
【図５】
0003670087.tif 000006
【図６】
0003670087.tif 000007
【図７】
0003670087.tif 000008
【図８】
0003670087.tif 000009
【図９】
0003670087.tif 000010
【図１０】
0003670087.tif 000011
【図１１】
0003670087.tif 000012
【図１２】
0003670087.tif 000013
【図１３】
0003670087.tif 000014
【図１４】
0003670087.tif 000015
【図１５】
0003670087.tif 000016
【図１６】
0003670087.tif 000017
【図１７】
0003670087.tif 000018
【図１８】
0003670087.tif 000019
【図１９】
0003670087.tif 000020
【図２０】
0003670087.tif 000021
【図２１】
0003670087.tif 000022
【図２２】
0003670087.tif 000023
【図２３】
0003670087.tif 000024
【図２４】
0003670087.tif 000025
【図２５】
0003670087.tif 000026
【図２６】
0003670087.tif 000027
【図２７】
0003670087.tif 000028
【図２８】
0003670087.tif 000029
【図２９】
0003670087.tif 000030
【図３０】
0003670087.tif 000031
【図３１】
0003670087.tif 000032
【図３２】
0003670087.tif 000033